(57)【特許請求の範囲】
【請求項１】
多角形状底付箱の各上端辺に略３角形状のフラップからなる多角錐体が連設するパッケージ本体と、該パッケージ本体の多角錐体に覆い被せる該多角錐体と略同形の傘部とでなり、該パッケージ本体に個装菓子を収容するデコレーション用パッケージであって、前記傘部の多角錐体各面に前記個装菓子を差し込むための複数の上方に突き出た引っ掛け切込みを設けたことを特徴とするデコレーション用パッケージ。
【請求項２】
前記傘部は、催事目的を表す形状であることを特徴とする請求項１記載のデコレーション用パッケージ。
【発明の詳細な説明】
【０００１】
【発明の属する技術分野】
本発明は、個装菓子等を収容する包装箱に関するものであり、さらに詳細には、個装菓子等を装飾にも使用されるデコレーション用パッケージに関するものである。
【０００２】
【従来の技術】
従来、個装菓子等を収容し、その菓子等を装飾にも使用するパッケージとして、例えばクリスマス用の菓子パッケージセットがあり、そのセットは紙製パッケージとそれとは別に手作りツリーとでなり、その使用に際し手作りされたツリーに個装菓子を貼り付けるものであった。
【０００３】
【発明が解決しようとする課題】
しかし、上記従来の菓子パッケージとその装飾の仕方においては、ツリーを作る他に個装菓子を貼り付ける等の煩雑さのごとき問題点があった。さらに、店頭でも陳列効果のある菓子用パッケージが要望されていた。
【０００４】
本発明は、かかる従来技術の問題点を解決するものであり、その課題とするところは、手軽に手作りで可能で、かつ店頭における陳列効果の高いデコレーション用パッケージを提供することにある。
【０００５】
【課題を解決するための手段】
本発明に於いて上記課題を達成するために、まず請求項１の発明では、多角形状底付箱の各上端辺に略３角形状のフラップからなる多角錐体が連設するパッケージ本体と、該パッケージ本体の多角錐体に覆い被せる該多角錐体と略同形の傘部とでなり、該パッケージ本体に個装菓子を収容するデコレーション用パッケージであって、前記傘部の多角錐体各面に前記個装菓子を差し込むための複数の上方に突き出た引っ掛け切込みを設けたことを特徴とするデコレーション用パッケージとしたものである。
【０００６】
また、請求項２の発明では、前記傘部は、催事の目的を表す形状であることを特徴とする請求項１記載のデコレーション用パッケージとしたものである。
【０００７】
上記本発明によれば、傘部をパッケージ本体に被せるだけでデコレーション用パッケージとすることができ、傘部に設けられた引っ掛け切込みに、内容物である個装菓子等を引っ掛けるだけで手軽に内容物の装飾が可能なデコレーション用パッケージとすることができる。
【０００８】
【発明の実施の形態】
以下本発明の実施の形態を説明する。
本発明のデコレーション用パッケージは、例えば、図１に示すように、四角形状底付箱の各上端辺に四角錐体が連設するパッケージ本体（１０）と、このパッケージ本体（１０）の四角錐体に覆い被せる四角錐体の傘部（２０）とでなり、この傘部（２０）がクリスマスツリーを表すデコレーション用パッケージ（１）について具体的に説明する。
【０００９】
上記クリスマスツリー型のデコレーション用パッケージ（１）は、まず図２の展開図に示すように、左辺に糊代片（３０）が、下辺に差込み片（３６ａ）を有する底フラップ（３６）が、上辺に突起片（３７ａ）を頂部に有する３角形状フラップ（３７）がそれぞれ折り罫（ａ，ｅ，ｆ）を介して連設する後面板（３１）と、下辺に底フラップ（３８）が、上辺に山折り片（３９ａ，３９ｂ）が斜辺に有する３角形状フラップ（３９）が折り罫（ｇ，ｈ）を介して連設する左側面板（３２）と、下辺に差込み片（４０ａ）を有する底フラップ（４０）が、上辺に突起片（４１ａ）を頂部に有する３角形状フラップ（４１）が折り罫（ｉ，ｊ）を介して連設する正面板（３３）と、下辺に底フラップ（４２）が、上辺に山折り片（４３ａ，４３ｂ）が斜辺に有する３角形状フラップ（４３）が折り罫（ｋ，ｌ）を介して連設する右側面板（３４）とがそれぞれ折り罫（ｂ，ｃ，ｄ）を介して順に連設するパッケージ本体のブランク（１００）を、図３の斜視図に示すように、組み立て、貼着して、四角形状の底付箱（１４）とその上端辺に連設する四角錐体（１２）とからなるパッケージ本体（１０）とする。
【００１０】
また、上記パッケージ本体（１０）に覆い被せる傘部（２０）は、例えば図４の展開図に示すように、下辺が波形の３角形状で右半分の傘部左側面板（５０ａ）、下辺が波形の３角形状の傘部正面板（５１）、下辺が波形の３角形状の傘部右側面板（５２）、下辺が波形の３角形状の傘部後面板（５３）、右辺に糊代片（５４）を有し、下辺が波形の３角形状で左半分の傘部左側面板（５０ｂ）が各頂点を一つにして、各右斜辺の折り罫（ｏ）と鉤形切込み（ｐ）を介して順に連設する傘部ブランク（２００）であって、各面板に２〜３箇の上方に半円形の引っ掛け切込み（Ｍ）が設けられている。
【００１１】
上記引っ掛け切込み（Ｍ）の形状としては、図８に示すように、例えば上方に頂点を持つ三角形状、四角形状、あるいは四角形状の上辺中間に下方に半円形の切り込みとしたものなど様々な形状であってもよい。
【００１２】
上記傘部ブランク（２００）を、図５の斜視図に示すように、組み立て貼着して、クリスマスツリー型の四角錐体の傘部（２０）とする。
【００１３】
上記パッケージ本体（１０）の各３角形状フラップ（３７，３９，４１，４３）を開いて、例えば図６の平面図に示すような上下にシール部（７２）を有する個装菓子（７０）を、図３に示すようなパッケージ本体（１０）内に多数個収容し、図１の斜視図に示すように、パッケージ本体（１０）の四角錐体（１２）に上記で得たクリスマスツリー型の四角錐体の傘部（２０）をその頂部に突起片（３７ａ，４１ａ）が出るように被せて、クリスマスツリー型のデコレーション用パッケージ（１）として商品化される。
【００１４】
このクリスマスツリー型のデコレーション用パッケージ（１）のクリスマス時の装飾、あるいは店頭での陳列時においては、図７（ａ）の正面図に示すように、傘部（２０）の各略３角形状の面板の複数の引っ掛け切込み（Ｍ）に、個装菓子（７０）を裏面にして、そのシール部（７２）を差し込み、さらに図７（ｂ）の正面図に示すように、その個装菓子（７０）を手前に倒して表面にして、垂れ下がるように装飾された形態のデコレーション用パッケージ（１）とするものである。なお装飾法として、図示しないが個装菓子（７０）を表向きにしてシール部（７２）を引っ掛け切込み（Ｍ）に差し込むだけでも構わない。
【００１５】
上記クリスマスツリー型のデコレーション用パッケージ（１）は、四角形状、四角錐体で構成されているが、三角形状、三角錐体あるいは５角形状、５角錐体で構成されているものでもよい。また傘部の形状も、例えば七夕祭り用、誕生日用などを表すような傘部の形状としてもよい。
【００１６】
本発明のデコレーション用パッケージ（１）としては、表面の印刷適性や切込み等加工適性を考慮した坪量２３０〜５５０ｇ／ｍ2 程度のコートボール、コートマニラ、コートアイボリー等板紙が好適に使用され、場合によっては段ボールでも使用できる。
【００１７】
【発明の効果】
本発明は以上の構成であるから、下記に示す如き効果がある。
即ち、多角形状底付箱の各上端辺に多角錐体が連設するパッケージ本体と、該パッケージ本体の多角錐体に覆い被せる該多角錐体と略同形の傘部とでなるデコレーション用パッケージにおいて、前記傘部の多角錐体各面に複数の引っ掛け切込みを設けたことによって、この引っ掛け切込みに、内容物である個装菓子等を引っ掛けるだけで手軽に内容物の装飾が可能なデコレーション用パッケージを提供することができる。
【００１８】
前記傘部の形状を、催事目的を表す形状とすることによって、例えばクリスマスや七夕祭り時に、店頭においても陳列効果のあるデコレーション用パッケージを提供できる。
【図面の簡単な説明】
【図１】本発明の一実施の形態を示すデコレーション用パッケージの斜視図である。
【図２】本発明のデコレーション用パッケージを構成するパッケージ本体のブランクの一実施の形態を示す展開図である。
【図３】本発明のデコレーション用パッケージを構成するパッケージ本体の一実施の形態を示す斜視図である。
【図４】本発明のデコレーション用パッケージを構成する傘部のブランクの一実施の形態を示す展開図である。
【図５】本発明のデコレーション用パッケージを構成する傘部の一実施の形態を示す斜視図である。
【図６】本発明のデコレーション用パッケージに係わる内容物の一事例を説明する裏面図である。
【図７】本発明のデコレーション用パッケージの傘部に内容物の袋の飾り方の一事例を説明するもので、
（ａ）は、引っ掛け切込みに差し込んだ正面図で、
（ｂ）は、手前に垂れ下げた正面図である。
【図８】本発明のデコレーション用パッケージに係わる引っ掛け切込みの一事例を示す説明図である。
【符号の説明】
１‥‥デコレーション用パッケージ
１０‥‥パッケージ本体
１２‥‥パッケージ本体の四角錐体
１４‥‥底付箱
２０‥‥傘部
３０‥‥糊代片
３１‥‥後面板
３２‥‥左側面板
３３‥‥正面板
３４‥‥右側面板
３６，３８，４０．４２‥‥底フラップ
３６ａ，４０ａ‥‥差込み片
３７，３９，４１，４３‥‥略３角形状フラップ
３７ａ，４１ａ‥‥突起片
３９ａ，３９ｂ，４３ａ，４３ｂ‥‥山折り片
５０ａ‥‥右半分の傘部左側面板
５０ｂ‥‥左半分の傘部左側面板
５１‥‥傘部正面板
５２‥‥傘部右側面板
５３‥‥傘部後面板
５４‥‥傘部の糊代片
７０‥‥個装菓子
７２‥‥シール部
１００‥‥パッケージ本体のブランク
２００‥‥傘部のブランク
Ｍ‥‥引っ掛け切込み
ａ，ｂ，ｃ，ｄ，ｅ，ｆ，ｇ，ｈ，ｉ，ｊ，ｋ，ｌ，ｏ‥‥折り罫
ｐ‥‥鉤形切込み
【図１】
0004797220.tif 000002
【図２】
0004797220.tif 000003
【図３】
0004797220.tif 000004
【図４】
0004797220.tif 000005
【図５】
0004797220.tif 000006
【図６】
0004797220.tif 000007
【図７】
0004797220.tif 000008
【図８】
0004797220.tif 000009